(57)【要約】【課題】装置中心軸の全周囲に配光する使用状態と、装置中心軸の周囲の一部分に配光する使用状態との双方に対応できる発光装置を提供する。【解決手段】発光装置１Ａは、３個以上の光源ユニット２を全体的に装置中心軸を中心として回転可能な全体回転部６と、個々の光源ユニット２の向きを、装置中心軸に平行な直線を中心に回転させた他の向きに変えられる個別回転部７と、を備え、装置中心軸に平行な方向から見たときに３個以上の光源ユニット２からの光照射方向が放射状になる第一使用状態と、装置中心軸に平行な方向から見たときに３個以上の光源ユニット２からの光照射方向が第一使用状態に比べて片寄った方向になる第二使用状態とに、３個以上の光源ユニット２の配置状態を変更可能であり、個別回転部７により光源ユニット２の向きを変えることで、第一使用状態と第二使用状態とに変更可能である。【選択図】図１
2016058147.tif 000002
【特許請求の範囲】
【請求項１】
３個以上の光源ユニットと、
前記３個以上の前記光源ユニットを全体的に装置中心軸を中心として回転可能な全体回転部と、
個々の前記光源ユニットの向きを、前記装置中心軸に平行な直線を中心に回転させた他の向きに変えられる個別回転部と、
を備え、
すべての前記光源ユニット、または、すべての前記光源ユニットのうちの一つ以外の前記光源ユニットが、それぞれ、前記個別回転部を介して前記全体回転部に取り付けられ、
前記装置中心軸に平行な方向から見たとき、複数の前記個別回転部が前記装置中心軸を中心とする円周上にあり、
前記装置中心軸に平行な方向から見たときに前記３個以上の前記光源ユニットからの光照射方向が放射状になる第一使用状態と、前記装置中心軸に平行な方向から見たときに前記３個以上の前記光源ユニットからの光照射方向が前記第一使用状態に比べて片寄った方向になる第二使用状態とに、前記３個以上の前記光源ユニットの配置状態を変更可能であり、
前記個別回転部により前記光源ユニットの向きを変えることで、前記第一使用状態と前記第二使用状態とに変更可能である発光装置。
【請求項２】
すべての前記光源ユニットのうち、一つの前記光源ユニットが前記全体回転部に対して回転不能に固定され、他の前記光源ユニットが、それぞれ、前記個別回転部を介して前記全体回転部に取り付けられている請求項１に記載の発光装置。
【請求項３】
前記光源ユニットの向きを前記個別回転部により連続的に調整可能である請求項１または請求項２に記載の発光装置。
【請求項４】
前記個別回転部により変えられる前記光源ユニットの向きを複数の向きに選択的に固定する角度固定手段を有する請求項１または請求項２に記載の発光装置。
【請求項５】
前記個別回転部の数が前記光源ユニットの数より多く、前記光源ユニットを取り付ける前記個別回転部の位置を選択可能である請求項１から請求項４のいずれか一項に記載の発光装置。
【請求項６】
Ｎ個の前記光源ユニットを取り付ける状態と、Ｎ≠ＭであるＭ個の前記光源ユニットを取り付ける状態とに変更可能であり、
前記個別回転部の数が前記Ｎ及び前記Ｍの公倍数である請求項１から請求項５のいずれか一項に記載の発光装置。
【請求項７】
前記光源ユニットは、発光素子と、前記発光素子の裏面側に設けられたヒートシンクとを有する請求項１から請求項６のいずれか一項に記載の発光装置。
【発明の詳細な説明】
【技術分野】
【０００１】
本発明は、発光装置に関する。
【背景技術】
【０００２】
下記特許文献１には、ＬＥＤ光源（１２）を取り付ける取付面を有する本体（１１）を、口金（コネクタ１４）に対して３６０度回転自在にする枢点部（１４１）を設けることで、光照射方向を調節可能にしたＬＥＤランプが開示されている。
【先行技術文献】
【特許文献】
【０００３】
【特許文献１】実用新案登録第３１７９７５０号公報
【発明の概要】
【発明が解決しようとする課題】
【０００４】
特許文献１のＬＥＤランプは、光照射方向が一方向であるため、全周囲に配光すべき用途には使用できない。全周囲に配光すべき用途に対しては、他のＬＥＤランプを使用する必要がある。全周囲に配光する用途と、特定の方向に配光する用途との両方がある場合には、全周囲に配光するＬＥＤランプと、特定の方向に配光するＬＥＤランプとの両方を用意し、両者を使い分ける必要があるので、コストが高くなる。
【０００５】
本発明は、上述のような課題を解決するためになされたもので、装置中心軸の全周囲に配光する使用状態と、装置中心軸の周囲の一部分に配光する使用状態との双方に対応できる発光装置を提供することを目的とする。
【課題を解決するための手段】
【０００６】
本発明に係る発光装置は、３個以上の光源ユニットと、３個以上の光源ユニットを全体的に装置中心軸を中心として回転可能な全体回転部と、個々の光源ユニットの向きを、装置中心軸に平行な直線を中心に回転させた他の向きに変えられる個別回転部と、を備え、すべての光源ユニット、または、すべての光源ユニットのうちの一つ以外の光源ユニットが、それぞれ、個別回転部を介して全体回転部に取り付けられ、装置中心軸に平行な方向から見たとき、複数の個別回転部が装置中心軸を中心とする円周上にあり、装置中心軸に平行な方向から見たときに３個以上の光源ユニットからの光照射方向が放射状になる第一使用状態と、装置中心軸に平行な方向から見たときに３個以上の光源ユニットからの光照射方向が第一使用状態に比べて片寄った方向になる第二使用状態とに、３個以上の光源ユニットの配置状態を変更可能であり、個別回転部により光源ユニットの向きを変えることで、第一使用状態と第二使用状態とに変更可能である。
【発明の効果】
【０００７】
本発明の発光装置によれば、複数の光源ユニットの向きを個別回転部により変えることで、装置中心軸の全周囲に配光する第一使用状態と、装置中心軸の周囲の一部分に配光する第二使用状態との双方に対応することが可能となる。
【図面の簡単な説明】
【０００８】
【図１】本発明の実施の形態１の発光装置（第一使用状態）を示す斜視図である。
【図２】本発明の実施の形態１の発光装置（第二使用状態）を示す斜視図である。
【図３】第二使用状態の発光装置を、装置中心軸が水平になる姿勢にした状態を示す斜視図である。
【図４】本発明の実施の形態１の発光装置の個別回転部の穴から光源ユニットの支持部を抜いた状態を示す斜視図である。
【図５】本発明の実施の形態１の発光装置の変形例が備える個別回転部の穴から光源ユニットの支持部を抜いた状態を示す斜視図である。
【図６】本発明の実施の形態２の発光装置（第一使用状態）を示す斜視図である。
【図７】本発明の実施の形態２の発光装置（第一使用状態）を示す斜視図である。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１及び図２は、本発明の実施の形態１の発光装置を示す斜視図である。これらの図に示すように、本実施の形態１の発光装置１Ａは、光源ユニット２と、口金４と、基部５と、全体回転部６と、個別回転部７とを備える。口金４としては、例えば、Ｅ３９口金（Φ３９ｍｍ）、Ｅ２６口金（Φ２６ｍｍ）等のねじ込み式の口金が好ましく使用できる。口金４の中心を通る直線が、発光装置１Ａの中心軸になる。発光装置１Ａの中心軸を「装置中心軸」と称する。口金４は、ソケット（図示省略）に対して固定される。口金４は、光源ユニット２に供給される電力の電気接点としての機能、及び、発光装置１Ａを使用箇所に固定する固定部としての機能を有する。
【００１１】
本実施の形態１の発光装置１Ａは、３個の光源ユニット２を備える。３個の光源ユニット２は、互いにほぼ同様の構成である。３個の光源ユニット２は、全体回転部６に取り付けられている。
【００１２】
光源ユニット２は、光源基板２ａと、光源基板２ａの一面側（表面側）に設けられた発光素子２ｂと、光源基板２ａの他面側（裏面側）に設けられたヒートシンク２ｃと、全体回転部６に連結される支持部２ｄとを有する。光源基板２ａは、装置中心軸に対して平行になる。装置中心軸に対して平行な方向の光源ユニット２の長さは、装置中心軸に対して垂直で光源基板２ａに平行な方向の長さに比べて、長い。すなわち、光源ユニット２は、装置中心軸に平行な方向を長手方向とする形状を有する。本実施の形態１の光源ユニット２の形状は、光源基板２ａに垂直な方向から見て、略長方形である。支持部２ｄは、棒状をなしており、光源ユニット２の長手方向の一端から装置中心軸に平行な方向に突出するように設けられている。
【００１３】
光源基板２ａは、有機材料基板またはセラミックス系基板などでもよいが、アルミニウムまたは鉄などの金属系基板で構成することが好ましい。光源基板２ａを金属系基板で構成することにより、放熱性を高めるとともに、振動への耐久性を向上することができる。また、光損失を抑えるため、光源基板２ａの表面に、白色系塗料などで表面レジスト処理を行っても良い。
【００１４】
本実施の形態１の発光素子２ｂは、ＬＥＤ（Ｌｉｇｈｔ  Ｅｍｉｔｔｉｎｇ  Ｄｉｏｄｅ）光源である。例えば、１Ｗ〜数Ｗ級の面実装型小型ＬＥＤパッケージを発光素子２ｂとして用いることができる。複数の発光素子２ｂを光源基板２ａに実装している。
【００１５】
ヒートシンク２ｃは、光源基板２ａを取り付ける取付面を有する平板状の伝熱部２ｅと、伝熱部２ｅの当該取付面の反対側の面から突出する複数のフィン２ｆとを有する。本実施の形態１におけるフィン２ｆの形状は、光源ユニット２の長手方向に沿って延びる板状であるが、ヒートシンク２ｃのフィンは、板状のものに限定されることはなく、例えばピンフィン（ピン型のフィン）などでも良い。光源基板２ａの裏面は、伝熱部２ｅの一面側（フィン２ｆの反対側）に接触する。発光素子２ｂの熱は、光源基板２ａから伝熱部２ｅへ伝わり、さらにフィン２ｆへ伝わる。この熱は、フィン２ｆの表面から、輻射、対流熱伝達などにより、空気中へ放散する。ヒートシンク２ｃを設けることで、発光素子２ｂの温度が低くなり、発光効率の向上及び長寿命化が図れる。光源基板２ａと、ヒートシンク２ｃの伝熱部２ｅとは、一体的に設けられていても良い。
【００１６】
本発明において光源ユニット２が用いる発光素子は、図示の構成に限定されるものではない。例えば数千〜数万ｌｍ／個の大光束のＣＯＢ（Ｃｈｉｐ  ｏｎ  Ｂｏａｒｄ）型のＬＥＤ光源を発光素子として用いてもよい。ＣＯＢ型のＬＥＤ光源は、金属系基板もしくはセラミック基板等の放熱性基板に複数のＬＥＤベアチップを直接に実装して樹脂封止する構成としたものである。ＣＯＢ型のＬＥＤ光源を用いる場合、ヒートシンク２ｃの伝熱部２ｅの取付面にＣＯＢ型ＬＥＤ光源を直接取り付けても良い。また、本発明における光源ユニット２は、ＬＥＤ光源に限らず、例えば有機ＥＬ（Ｅｌｅｃｔｒｏ−Ｌｕｍｉｎｅｓｃｅｎｃｅ）光源等を発光素子として用いてもよい。
【００１７】
ヒートシンク２ｃの伝熱部２ｅと光源基板２ａとの接触面は、装置中心軸に対し平行である。本実施の形態１では、光源ユニット２において、ヒートシンク２ｃの伝熱部２ｅと光源基板２ａとの接触面に対して垂直な方向であって、発光素子２ｂから発せられた光が進む方向を「光照射方向」と言うものとする。本実施の形態１では、光源ユニット２の光照射方向は、装置中心軸に対して垂直になる。
【００１８】
基部５は、口金４に固定されている。基部５は、中心軸が装置中心軸に一致する略円柱状または略円筒状の形状を有する。全体回転部６は、基部５に対して回転可能に連結されている。全体回転部６は、装置中心軸を中心として、基部５に対して回転可能である。全体回転部６は、回転軸６ａ及び円盤部６ｂを有する。回転軸６ａは、中心軸が装置中心軸に一致し、基部５より外径の小さい略円柱状または略円筒状の形状を有する。回転軸６ａは、基部５に対して回転可能に連結される。円盤部６ｂは、中心軸が装置中心軸に一致し、基部５より外径の大きい略円盤状の形状を有する。円盤部６ｂは、回転軸６ａと一体となって回転する。基部５と、全体回転部６の回転軸６ａとの摺動面（図示省略）の摩擦力により、基部５に対する全体回転部６の回転位置を、任意の位置で固定可能である。その摩擦力に対応するトルクを超えるトルクを全体回転部６に加えることで、全体回転部６を基部５に対して回転させることができる。この構成に代えて、基部５に対する全体回転部６の回転位置を固定するネジ等の固定手段（図示省略）を設け、当該固定手段の締め付けを緩めることで全体回転部６が基部５に対して回転可能になり、当該固定手段を再度締め付けることで基部５に対する全体回転部６の回転位置が再度固定されるように構成しても良い。
【００１９】
全体回転部６には、複数の個別回転部７が設けられている。個別回転部７は、光源ユニット２の支持部２ｄが挿入可能な穴を有する。個別回転部７の穴及び支持部２ｄの中心線は、装置中心軸に平行になる。個別回転部７の穴に支持部２ｄを挿入することで、個別回転部７の穴の内周と支持部２ｄの外周との間の摩擦力により、光源ユニット２を個別回転部７及び全体回転部６に対し固定できる。本実施の形態１では、３個の光源ユニット２のすべてが、それぞれ、個別回転部７を介して全体回転部６に取り付けられる。口金４及び基部５に対して全体回転部６を回転させることで、３個の光源ユニット２のすべてが、口金４及び基部５に対して、装置中心軸を中心として全体的に回転する。
【００２０】
全体回転部６には、光源ユニット２と同数（本実施の形態１では３個）の個別回転部７が設けられている。装置中心軸に平行な方向から見たとき、複数の個別回転部７は、装置中心軸を中心とする円周上にある。複数の個別回転部７は、装置中心軸を中心とする円周上で、隣り合う個別回転部７の間隔が等間隔になるように配置されることが望ましい。
【００２１】
個別回転部７の穴から支持部２ｄを抜き、支持部２ｄを中心に光源ユニット２を回転させた後、支持部２ｄを再度個別回転部７の穴に挿入することで、光源ユニット２が個別回転部７及び全体回転部６に対し再度固定される。このようにすることで、個々の光源ユニット２の向きを、装置中心軸に平行な直線を中心に回転させた他の向きに変えることができる。
【００２２】
上述した構成に代えて、全体回転部６に対する光源ユニット２の取り付けの向きを固定するネジ等の固定手段（図示省略）を設け、当該固定手段の締め付けを緩めることで光源ユニット２が個別回転部７を中心に回転可能になり、当該固定手段を再度締め付けることで全体回転部６に対する光源ユニット２の取り付けの向きを再度固定できるように構成しても良い。
【００２３】
本実施の形態１の発光装置１Ａは、３個の光源ユニット２の配置状態を、図１に示す第一使用状態と、図２に示す第二使用状態とに変更可能である。発光装置１Ａは、複数の光源ユニット２（本実施の形態１では２個の光源ユニット２）の各々の向きを個別回転部７により他の向きに変えることで、第一使用状態と第二使用状態とに変更可能である。
【００２４】
図１に示す第一使用状態では、装置中心軸に平行な方向から見たときに、３個の光源ユニット２からの光照射方向が放射状になる。第一使用状態では、３個の光源ユニット２は、装置中心軸の周りに、ほぼ等角度間隔（本実施の形態１では１２０°間隔）で配置される。本実施の形態１では、装置中心軸に平行な方向から見たときに、第一使用状態において、３個の光源ユニット２からの光照射方向は、中心からほぼ等角度間隔（本実施の形態１では１２０°間隔）で三方へ放射状に広がる。第一使用状態では、発光装置１Ａは、装置中心軸を囲む周の全周囲へ配光できる。例えば、装置中心軸を鉛直方向とする姿勢で発光装置１Ａを設置するような用途においては、全周囲へ配光できる第一使用状態が適する。第一使用状態では、隣り合う光源ユニット２の間に、ヒートシンク２ｃを冷却する空気が通過可能な風路１０が形成される。風路１０を空気が通ることで、ヒートシンク２ｃからさらに効率良く熱を放散することができ、優れた冷却効果が得られる。本実施の形態１では、３個の光源ユニット２のヒートシンク２ｃで囲まれる空間に、空気の流れを阻害する構造物が存在しないので、ヒートシンク２ｃに風をより効率良く当てることができ、特に優れた冷却効果が得られる。
【００２５】
図１中で左側にある一つの光源ユニット２以外の二つの光源ユニット２の向きを個別回転部７により変えることで、図２に示す第二使用状態に変えることができる。第二使用状態では、装置中心軸に平行な方向から見たときに、３個の光源ユニット２からの光照射方向が、第一使用状態に比べて片寄った方向になる。第二使用状態では、発光装置１Ａは、装置中心軸を囲む周の一部分へ配光できる。
【００２６】
図３は、第二使用状態の発光装置１Ａを、装置中心軸が水平になる姿勢にした状態を示す斜視図である。例えば、街路灯のような器具に発光装置１Ａを装着して使用する場合には、装置中心軸が水平になる姿勢、または装置中心軸が水平に近くなる姿勢で発光装置１Ａが設置される場合がある。そのような用途においては、第二使用状態とすることで、下方を集中的に照らすことが可能となる。
【００２７】
上述したように、発光装置１Ａによれば、装置中心軸の全周囲に配光する第一使用状態と、装置中心軸の周囲の一部に配光する第二使用状態との双方に対応できる。このため、一種類の発光装置１Ａで多様な用途に対応できるので、コストを抑制できる。
【００２８】
第二使用状態では、光源ユニット２同士の間に、大きい風路１１と、小さい風路１２とが形成される。大きい風路１１は一箇所であり、他の箇所は小さい風路１２である。大きい風路１１は、第一使用状態のときの風路１０に比べて大きい。小さい風路１２は、第一使用状態のときの風路１０に比べて小さい。第二使用状態では、大きい風路１１から多くの空気が入ることで、各光源ユニット２のヒートシンク２ｃから効率良く熱を放散することができ、優れた冷却効果が得られる。
【００２９】
図２及び図３に示すように、第二使用状態では、装置中心軸に平行な方向から見たときの、３個の光源ユニット２からの光照射方向が、中心角が１８０°以下の扇形の範囲に収まる。このように、第二使用状態のときの各光源ユニット２からの光照射方向が、中心角が１８０°以下の扇形の範囲に収まるようにすることで、第二使用状態のときの配光を特定の方向に十分に集中させることができる。
【００３０】
図４は、本実施の形態１の発光装置１Ａの個別回転部７の穴から光源ユニット２の支持部２ｄを抜いた状態を示す斜視図である。図４に示すように、個別回転部７の穴の形状は、正六角形である。光源ユニット２の支持部２ｄの、個別回転部７の穴に挿入される部分は、個別回転部７の穴の正六角形に対応する正六角形の断面形状を有する。個別回転部７の穴から光源ユニット２の支持部２ｄを抜いた後、支持部２ｄを中心に光源ユニット２を６０°の倍数だけ回転させた向きで、支持部２ｄを個別回転部７の穴に再度挿入できる。このような構成により、本実施の形態１では、全体回転部６に対する光源ユニット２の向きを６０°ごとに回転させた他の向きに変えることができる。このため、第一使用状態から第二使用状態に変えるとき、またはその逆のときに、光源ユニット２の向きを適正な位置に容易に位置決めできる。
【００３１】
上述のように図４に基づいて説明した構成が、全体回転部６に対する光源ユニット２の向き（角度）を複数の向き（角度）に選択的に固定する角度固定手段に相当する。本発明では、この角度固定手段の構成は、上述の構成に限定されるものではなく、同様の機能を発揮し得る任意の構成に置換できる。また、図４に基づいて説明した構成において、個別回転部７の穴及び支持部２ｄの断面形状を、正六角形に代えて正Ｎ角形（例えば、Ｎ＝７、８、９、１０、１１、１２、１３、１４など）にすることで、全体回転部６に対する光源ユニット２の向きを（３６０／Ｎ）°ごとに位置決めできる。
【００３２】
図５は、本実施の形態１の発光装置１Ａの変形例が備える個別回転部７の穴から光源ユニット２の支持部２ｄを抜いた状態を示す斜視図である。図５に示すように、本変形例における個別回転部７の穴の形状は、円形である。光源ユニット２の支持部２ｄの、個別回転部７の穴に挿入される部分は、個別回転部７の穴の円形に対応する円形の断面形状を有する。個別回転部７の穴から光源ユニット２の支持部２ｄを抜いた後、支持部２ｄを中心に光源ユニット２を任意の角度だけ回転させた向きで、支持部２ｄを個別回転部７の穴に再度挿入できる。このような構成により、本変形例によれば、全体回転部６に対する光源ユニット２の向きを個別回転部７により変える際に、その向き（角度）を連続的に調整できる。このため、光源ユニット２の取り付け位置の調整の自由度を高くできる。
【００３３】
本実施の形態１では、全体回転部６を口金４及び基部５に対して回転させることで、全体回転部６に支持されたすべての光源ユニット２を全体的に装置中心軸を中心として回転させることができる。対象器具のソケットに口金４をねじ込んだときに口金４が止まる回転位置を予測することは難しい。ソケットに口金４をねじ込んで発光装置１Ａを装着した後、全体回転部６を回転させることで、すべての光源ユニット２を全体的に装置中心軸を中心として回転させ、光源ユニット２の向きを最適な向きに調整できる。特に、第二使用状態で発光装置１Ａを使用する場合、ソケットにねじ込まれた口金４が止まった位置で、配光が集中する方向が所望の向き（例えば下方）にならない場合がある。そのような場合に、全体回転部６を回転させることで、配光が集中する方向が所望の向きになるように容易に調整できる。
【００３４】
本実施の形態１では、発光装置１Ａが備える光源ユニット２の数が３個の場合を例に説明したが、本発明の発光装置が備える光源ユニットの数は３個以上であれば良い。発光装置が備える光源ユニットの数をＮとしたとき、第一使用状態では、光源ユニットが装置中心軸の周りにほぼ等角度間隔、すなわち（３６０／Ｎ）°間隔で配置されることが好ましい。
【００３５】
発光装置１Ａが備えるすべての光源ユニット２のうちの一つの光源ユニット２は、個別回転部７を介さずに、全体回転部６に対して回転不能に固定されていても良い。例えば、図１中で左側に位置する一つの光源ユニット２が、全体回転部６に対して回転不能に完全に固定されていても良い。この場合には、他の二つの光源ユニット２の向きを個別回転部７により変えることで、図１のような第一使用状態から図２及び図３のような第二使用状態へ変えることができる。一つの光源ユニット２を全体回転部６に対して回転不能に固定した場合には、当該光源ユニット２の全体回転部６に対する取り付け強度を向上できるとともに、構造を簡素化できる。
【００３６】
光源ユニット２は、光源基板２ａ及び発光素子２ｂを覆う、透光性を有するカバー部材（図示省略）を備えても良い。このカバー部材は、防水性（防湿性）を有し、光源基板２ａ及び発光素子２ｂを外気から密閉するように覆うことが望ましい。このカバー部材の構成材料は、例えば、ポリカーボネート等のプラスチック系材料、あるいはガラス系材料が好ましい。このようなカバー部材を設けることで、発光装置１Ａの耐環境性を向上でき、屋外に設置される器具に対しても発光装置１Ａを好ましく使用できる。
【００３７】
以上、本発明の実施の形態１について説明したが、本発明の発光装置の適用対象は、本実施の形態１の発光装置１Ａのような、口金を有するランプに限定されるものではない。本発明の発光装置は、例えばダウンライト、高天井照明、投光器などを含む、様々な照明器具に対して適用可能である。
【００３８】
実施の形態２．
次に、図６及び図７を参照して、本発明の実施の形態２について説明するが、上述した実施の形態１との相違点を中心に説明し、同一部分または相当部分は同一符号を付し説明を省略する。図６及び図７は、本発明の実施の形態２の発光装置１Ｂ（第一使用状態）を示す斜視図である。
【００３９】
図６及び図７に示すように、本実施の形態２の発光装置１Ｂでは、個別回転部７の数（本実施の形態２では、１２個）が光源ユニット２の数（本実施の形態２では、３個または４個）より多い。光源ユニット２を取り付ける個別回転部７の位置を、複数の個別回転部７のうちから選択可能である。このため、複数の光源ユニット２の配置状態をより多様に変えることができ、一種類の発光装置１Ｂでより多様な用途に対応できる。図示を省略するが、本実施の形態２の発光装置１Ｂでは、第二使用状態にするとき、光源ユニット２の向きを個別回転部７で変えるだけでなく、光源ユニット２を取り付ける個別回転部７の位置を他の個別回転部７に変えても良い。このようにすることで、第二使用状態のときの配光を特定の方向にさらに集中させることが可能となる。
【００４０】
本実施の形態２の発光装置１Ｂは、３個の光源ユニット２を取り付ける状態（図６）と、４個の光源ユニット２を取り付ける状態（図７）とに変更可能である。個別回転部７の数（１２個）は、取り付け可能な光源ユニット２の数である、３及び４の公倍数である。このような構成により、３個の光源ユニット２を取り付ける状態（図６）と、４個の光源ユニット２を取り付ける状態（図７）とのいずれの状態においても、装置中心軸を中心とする円周上で複数の光源ユニット２を等間隔に配置することが可能となる。そのため、特に第一使用状態のときの配光を良好にできる。
【００４１】
本発明では、取り付け可能な光源ユニットの数が上記と異なる場合においても、Ｎ及びＭを３以上の自然数とし、Ｎ個の光源ユニットを取り付ける状態と、Ｎ≠ＭであるＭ個の光源ユニットを取り付ける状態とに変更可能な発光装置において、個別回転部の数がＮ及びＭの公倍数であるように構成することで、上記と同様の効果が得られる。
【００４２】
以上、本発明の実施の形態について説明したが、本発明では、上述した複数の実施の形態の特徴を任意に組み合わせて実施することが可能である。
【符号の説明】
【００４３】
１Ａ，１Ｂ  発光装置、２  光源ユニット、２ａ  光源基板、２ｂ  発光素子、２ｃ  ヒートシンク、２ｄ  支持部、２ｅ  伝熱部、２ｆ  フィン、４  口金、５  基部、６  全体回転部、６ａ  回転軸、６ｂ  円盤部、７  個別回転部、１０，１１，１２  風路
【図１】
2016058147.tif 000003
【図２】
2016058147.tif 000004
【図３】
2016058147.tif 000005
【図４】
2016058147.tif 000006
【図５】
2016058147.tif 000007
【図６】
2016058147.tif 000008
【図７】
2016058147.tif 000009